(57)【要約】【課題】使用者の立ち位置の指示機能を備えると共に、意匠性を損なわない小便器を提供することを目的としている。【解決手段】床面Ｆに対して光を投射することにより、使用者の立ち位置Ｐを指示する光照射部４０が小便器本体１０の底面１０ａに設けられている。【選択図】図２
2019019594.tif 000002
【特許請求の範囲】
【請求項１】
使用者の立ち位置の指示機能を備えた小便器であって、
小便を受けるボウル面を有し、底面が床面よりも上方に位置するように設置される小便器本体と、
前記床面に対して光を投射することにより、前記使用者の立ち位置を指示する光照射部と、
を備えており、
前記光照射部は、前記小便器本体の底面に設けられていることを特徴とする小便器。
【請求項２】
前記小便器本体に使用者が接近したことを検知する人体検知手段を有し、
前記人体検知手段による検知に基づいて、前記光照射部からの光の投射を制御する請求項１に記載の小便器。
【請求項３】
前記光照射部から投射される光の形状は足型である請求項１又は２に記載の小便器。
【請求項４】
前記小便器本体に接近した使用者の身長を判別する高さ判別手段を有し、
前記光照射部は、前記高さ判別手段によって判別した使用者の身長に応じて、前記床面に対して光によって投射する前記使用者の立ち位置を変更する請求項１乃至３のいずれか１項に記載の小便器。
【発明の詳細な説明】
【技術分野】
【０００１】
本発明は、小便器に関し、特に、使用者の立ち位置の指示機能を備えた小便器に関する。
【背景技術】
【０００２】
使用者が小便器に放尿する際の小便器外への尿垂れによる床汚れを抑制するためには、尿垂れ範囲が拡大していくことを防ぐためにも、先ずは使用者が小便器に対して適切な立ち位置に立った状態で放尿することが好まれる。この適切な立ち位置を示すために、床に直接シールやペンキ等でマーキングする方法があるが、そうするとトイレ空間の意匠性が低下してしまう。また、床の清掃を配慮すると、マーキングのメンテナンスを行なう必要がある。
【０００３】
特許文献１の小便器においては、小便器の上部両外側面にＬＥＤを光源とする照明器具を設置し、その照明器具によって床に対して光で照射して使用者の立ち位置を示すものが開示されている。これにより、床の清掃に配慮したマーキングのメンテナンスを行なう必要がなく、また、人体検知に基づいて光の照射を切り替えることでトイレ空間の意匠性にも配慮することができる。
【先行技術文献】
【特許文献】
【０００４】
【特許文献１】特開２００１−６５０３２号公報
【発明の概要】
【発明が解決しようとする課題】
【０００５】
しかし、特許文献１の小便器は、小便器の外側面から照明器具が突出しているため、小便器自体の意匠性が低下してしまう。また、照明器具に対していたずらをされてしまうおそれがある。
【０００６】
本発明は上述した従来技術の問題を解決するためになされたものであり、使用者の立ち位置の指示機能を備えると共に、意匠性を損なわない小便器を提供することを目的としている。
【課題を解決するための手段】
【０００７】
上述した目的を達成するために、本発明の小便器は、使用者の立ち位置の指示機能を備えた小便器であって、小便を受けるボウル面を有し、底面が床面よりも上方に位置するように設置される小便器本体と、前記床面に対して光を投射することにより、前記使用者の立ち位置を指示する光照射部と、を備えており、前記光照射部は、前記小便器本体の底面に設けられていることを特徴とする。
【０００８】
このように構成された本発明においては、光照射部から投射される光によって、使用者が小便器本体に放尿する際に小便器本体外への尿垂れが発生しにくい立ち位置に使用者を誘導することができるため、小便器本体外への尿垂れによる床汚れの発生を抑制することができる。また、立ち位置を光で投射する光照射部が、使用者からは視認し難い小便器本体の底面に設けられているため、小便器の意匠性を損なうことなく尿垂れの発生しにくい立ち位置への誘導が実現できるとともに、光照射部へのいたずらを防止することができる。
【０００９】
本発明において、好ましくは、前記小便器本体に使用者が接近したことを検知する人体検知手段を有し、前記人体検知手段による検知に基づいて、前記光照射部からの光の投射を制御する。
【００１０】
このように構成された本発明においては、使用者が小便器本体に接近していないときは光照射部を消灯するように構成することで、トイレ空間の意匠性の低下を防ぐとともに、電力の無駄遣いを抑制することができる。
【００１１】
本発明において、好ましくは、前記光照射部から投射される光の形状は足型である。
【００１２】
このように構成された本発明においては、使用者は、光照射部から照射されている光が、放尿時の立ち位置を誘導する光であると認識しやすくなるとともに、自身の足をその足型の光に合わせることで誘導された立ち位置にほぼ確実に立つことができる。
【００１３】
本発明において、好ましくは、前記小便器本体に接近した使用者の身長を判別する高さ判別手段を有し、前記光照射部は、前記高さ判別手段によって判別した使用者の身長に応じて、前記床面に対して光によって投射する前記使用者の立ち位置を変更する。
【００１４】
このように構成された本発明においては、例えば身長の低い子供に対しては、身長の高い大人よりもより小便器本体に近い立ち位置へ誘導することで、小便器本体外への尿垂れの発生をより抑制することができる。
【発明の効果】
【００１５】
本発明の小便器によれば、使用者の立ち位置の指示機能を備えると共に、意匠性を損なわない。
【図面の簡単な説明】
【００１６】
【図１】本実施形態に係る小便器全体を示す斜視図である。
【図２】本実施形態に係る小便器の全断面図である。
【図３】本実施形態に係る小便器の概略を示すブロック図である。
【発明を実施するための形態】
【００１７】
以下、添付図面を参照して、本願の開示する小便器の実施形態を詳細に説明する。なお、以下に示す実施形態によりこの発明が限定されるものではない。
【００１８】
図１乃至図３を参照して、本実施形態に係る小便器１について説明する。図１は、本実施形態に係る小便器全体を示す斜視図である。図２は、本実施形態に係る小便器の全断面図である。図３は、本実施形態に係る小便器の概略を示すブロック図である。
【００１９】
図１に示すように、小便器１は、陶器製の小便器本体１０を壁面Ｗに取り付けて使用する壁掛けタイプの小便器であり、その底面１０ａが床面Ｆよりも上方に位置している。小便器本体１０は、その内側に小便を受けるボウル面１２を有し、ボウル面１２の左右方向中央の上部には吐水装置であるスプレッダー２０が取り付けられている。小便器１は、使用者の小用後、スプレッダー２０から吐出される洗浄水により、ボウル面１２が洗浄されるように構成されている。
【００２０】
ボウル面１２は、壁面Ｗを概ね平行に延びる正面部１２ａと、この正面部１２ａの両側から、小便器本体１０の前端部に向けて延びる側面部１２ｂから構成されている。
図２に示すように、両側の側面部１２ｂは、上端から下方に向けて幅が広くなる概ね三角形状に形成されていると共に、各側面部１２ｂの上方は開放されており、ボウル面１２には「天井面」に相当する部分がない。また、正面部１２ａは、その上部においては概ね平面状に構成され、下方にかけて前端部（使用者が立つ側）にせり出すように湾曲して形成されている。さらに、ボウル面１２は、その正面部１２ａが両側の各側面部１２ｂと滑らかに連なるように形成されている。
【００２１】
また、各側面部１２ｂの内側には導水棚１２ｃが各々設けられており、これらの導水棚１２ｃは小便器本体１０の後部側から前端部側にかけて斜めに下降するように形成されている。これらの導水棚１２ｃは各側面部１２ｂの内側に形成された段状の部分である。スプレッダー２０から吐出された洗浄水の一部は、各導水棚１２ｃに載せられて導かれて小便器本体１０の前端部側に回りこみ、ボウル面１２の前端部側を洗浄して排水口１４（図２）から排出されるようになっている。
【００２２】
図２に示すように、ボウル面１２の底部には、ボウル面１２が受けた小便及び洗浄水を小便器本体１０外に排出する、概ね円形の排水口１４が設けられている。さらに、小便器本体１０には、排水口１４と連通するように下方に向けて延びる下降管１６ａと、この下降管１６ａの下端から折り返して上方に向けて延びる上昇管１６ｂと、この上昇管１６ｂの上端から壁面Ｗに向けて水平に延びる排出管１６ｃが設けられている。この排出管１６ｃは排水配管（図示せず）に接続されており、排水配管は、壁面Ｗの中を通って壁面Ｗから突出するように設けられている。また、使用時においては、下降管１６ａおよび上昇管１６ｂの内部には洗浄水が貯留され、下降管１６ａ及び上昇管１６ｂは貯留された封水により排水口１４と排水配管（図示せず）を絶縁するトラップ管路として機能する。
【００２３】
さらに、排水口１４を覆うように、概ね円盤状の目皿１８が配置されている。この目皿１８には、複数の開口部（図示せず）が設けられ、これらの開口部を介してボウル面１２が受けた小便及び洗浄水を排水口１４に流出させるようになっている。
【００２４】
スプレッダー２０は、概ね円柱状の本体部２０ａと、この本体部２０ａからボウル面１２の正面部１２ａの裏側へ延びる洗浄水供給部２０ｂと、を有する。スプレッダー２０の洗浄水供給部２０ｂには、水道２６から電磁弁２６ａを介して洗浄水が供給される。この電磁弁２６ａは、制御部２８の制御信号に基づいて、所定のタイミングで開閉される。
【００２５】
ボウル面１２の裏側には、人体検知手段であるマイクロ波センサ３０が配置されている。このマイクロ波センサ３０は、ボウル面１２の裏側で、ブラケット（図示せず）を介してスプレッダー２０に取り付けられている。マイクロ波センサ３０は、小便器本体１の正面視において、スプレッダー２０の本体部２０ａの右側側方、且つ下方に位置決めされ、斜め下方に向けてマイクロ波を発信するように向けられている。マイクロ波センサ３０は、背面側からボウル面２を透過させるようにマイクロ波を照射し、小便器１の正面側への使用者の接近を検知するように構成されている。
【００２６】
このように、マイクロ波センサ３０をスプレッダー２０の本体部２０ａの側方、且つ下方に配置することにより、スプレッダー２０を構成する金属部品等によりマイクロ波が遮られることなく、ボウル面１２を透過させることができる。また、マイクロ波は陶器製のボウル面１２を透過するため、ボウル面１２の背面側に配置することができる。このため、ボウル面１２の正面側に人体検知センサを配置する必要が無く、小便器１のデザインの自由度を広げることができる。
【００２７】
スプレッダー２０の本体部２０ａには、洗浄水を吐出する吐水部２４が収容されており、洗浄水は、この吐水部２４の吐水口２４ａから下方に向けて吐出される。
洗浄水供給部２０ｂは、ボウル面１２の正面部１２ａを貫通して延びる管状の部分であり、洗浄水の給水源（図示せず）に接続される。吐水部２４は、洗浄水供給部２０ｂと連通するように構成されており、洗浄水供給部２０ｂを介して水平方向に供給された洗浄水を、下方に向けて吐水口２４ａから吐出するように構成されている。吐水口２４ａは、スプレッダー２０の取付面に沿って延びる薄型の開口であり、下方に向けて扇形に広がるように構成されている。これにより、図１の矢印Ｓに示すように、スプレッダー２０から吐出される洗浄水は、ボウル面１２の正面部１２ａに沿って下方に広がるように流れ、その一部は、ボウル面１２の側面部１２ｂに設けられた導水棚１２ｃに載せられ、小便器本体１０の前端部まで導かれる。
【００２８】
小便器本体１０の底面１０ａには、床面Ｆに対して光を投射することにより、使用者の立ち位置Ｐを指示する光照射部４０が設けられている。光照射部４０は、小便器１の近くに人がいないときは消灯して光の投射は行なわず、小便器１に使用者が近づいたときに、床面Ｆに対して使用者の立ち位置Ｐを指示する足型形状の光を投射するように構成されている。
【００２９】
次に、本実施形態による小便器１の作用を説明する。
小便器１に備えられているマイクロ波センサ３０は、所定の時間間隔でマイクロ波を発信／受信するように構成されており、受信されたマイクロ波に基づいて、使用者の小便器本体１０への接近を検知する。使用者の接近が検知されると、制御部２８は、光照射部４０に信号を送って光照射部４０から床面Ｆに対して光を投射させる。光照射部４０から照射された光は、形状が足型となっており、使用者はこの投射された足型の光に足の位置を合わせることにより、尿垂れが生じにくい立ち位置Ｐに立つことができる。
【００３０】
使用者が小用を終えた後、使用者が小便器本体１０から離れると、マイクロ波センサ３０はこれを検知し、制御部２８に信号を送る。制御部２８は、使用者が小便器本体１０から離れたことが検知されると、光照射部４０に信号を送って消灯させると共に、電磁弁２６ａに信号を送り、電磁弁２６ａを所定期間開弁させる。電磁弁２６ａが開弁させると、スプレッダー２０の洗浄水供給部２０ｂから流入した洗浄水が、吐水部２４の吐水口２４ａを介して吐出される。吐水口２４ａから吐出された洗浄水は、ボウル面１２の正面部１２ａに沿って下方に向けて扇形に広がり、ボウル面１２の正面部１２ａ及び側面部１２ｂが洗浄される。吐出された洗浄水の一部は、側面部１２ｂに形成された導水棚１２ｃに導かれることにより、小便器本体１０の前端部側に回りこみ、両側の側面部２ｂが洗浄される。ボウル面１２が受けた小便及びスプレッダー２０から吐出された洗浄水は、ボウル面１２底部の排水口１４から、下降管１６ａ、上昇管１６ｂ、排出管１６ｃを通って排出される。
【００３１】
本実施形態の小便器１によれば、床面Ｆに対して光を投射することにより、使用者の立ち位置Ｐを指示する光照射部４０が小便器本体１０の底面１０ａに設けられている。これにより、光照射部４０から投射される光によって、使用者が小便器本体１０に放尿する際に小便器本体１０外への尿垂れが発生しにくい立ち位置Ｐに使用者を誘導することができるため、小便器本体１０外への尿垂れによる床汚れの発生を抑制することができる。また、立ち位置Ｐを光で投射する光照射部４０が、使用者からは視認し難い小便器本体１０の底面１０ａに設けられているため、小便器１の意匠性を損なうことなく立ち位置Ｐへの誘導が実現できるとともに、光照射部４０へのいたずらを防止することができる。
【００３２】
また、小便器本体１０に使用者が接近したかどうかをマイクロ波センサ３０によって検知し、その検知に基づいて光照射部４０から立ち位置Ｐを光で投射するように構成している。これにより、使用者が小便器本体１０に接近していないときは光照射部４０が消灯されているため、トイレ空間の意匠性の低下を防ぐとともに、電力の無駄遣いを抑制することができる。
【００３３】
また、光照射部４０から投射される光の形状は足型であるため、使用者は、光照射部４０から照射されている光が、放尿時の立ち位置を誘導する光であると認識しやすくなるとともに、自身の足をその足型の光に合わせることで誘導された立ち位置Ｐにほぼ確実に立つことができる。
【００３４】
以上、本願の開示する技術の実施形態について説明したが、本願の開示する技術は、上記に限定されるものではない。
【００３５】
例えば、上記実施形態においては、マイクロ波センサ３０によって使用者の接近を検知することとしたが、本発明はこれに限らず、例えば赤外線センサによって使用者の接近を検知することとしてもよい。
【００３６】
また、上記実施形態の小便器１に、小便器本体１０に接近した使用者の身長（高さ）を判別するセンサなどの高さ判別手段を設け、この高さ判別手段によって判別した使用者の身長に応じて、光照射部４０から光で投射する使用者の立ち位置Ｐの位置を適宜変更できることとしてもよい。これにより、例えば身長の低い子供に対しては、身長の高い大人よりもより小便器本体１０に近い立ち位置Ｐへ誘導することで、小便器本体１０外への尿垂れの発生をより抑制することができる。
【００３７】
前述した各実施の形態が備える各要素は、技術的に可能な限りにおいて組み合わせることができ、これらを組み合わせたものも本発明の特徴を含む限り本発明の範囲に包含される。
【符号の説明】
【００３８】
１        小便器
１０      小便器本体
１０ａ    底面
１２      ボウル面
１２ａ    正面部
１２ｂ    側面部
１２ｃ    導水棚
１４      排水口
１６ａ    下降管
１６ｂ    上昇管
１６ｃ    排出管
１８      目皿
２０      スプレッダー
２０ａ    本体部
２０ｂ    洗浄水供給部
２４      吐水部
２４ａ    吐水口
２６      水道
２６ａ    電磁弁
２８      制御部
３０      マイクロ波センサ
４０      光照射部
Ｗ        壁面
Ｆ        床面
Ｐ        使用者の立ち位置
【図１】
2019019594.tif 000003
【図２】
2019019594.tif 000004
【図３】
2019019594.tif 000005